(57)【要約】【課題】各回路基板をそれぞれ分離できるようにし、回路基板の部分的な交換を可能とするとともに、各回路基板を簡単かつ確実に支持し、撮像装置（ビデオカメラ等）の組立性を犠牲にすることなく、撮像装置の小型化及び耐振動性の強化を図る。【解決手段】電子部品８１及びコネクタ８３ａ〜８３ｃが表面に実装された制御基板８０ａ〜８０ｃ（回路基板）と、各制御基板８０ａ〜８０ｃを収容するボトムパネル３０及びトップパネル４０と、各制御基板８０ａ〜８０ｃの一端面をボトムパネル３０に向けて押圧するシリコンゴム４１とを備え、各制御基板８０ａ〜８０ｃは、各コネクタ８３ａ〜８３ｃにＦＦＣ８２ａ，８２ｂが接続されるとともに、一端面がシリコンゴム４１で押圧され、他端面がボトムパネル３０に保持される。【選択図】図６
2008131399.tif 000002
【特許請求の範囲】
【請求項１】
電子部品及びコネクタが表面に実装された複数の回路基板と、
各前記回路基板を収容するベースケース及びカバーケースと
を備える撮像装置の基板支持構造であって、
各前記回路基板の一端面を前記ベースケースに向けて押圧する押圧部材を備え、
各前記回路基板は、各前記コネクタにフレキシブルフラットケーブルが接続されるとともに、一端面が前記押圧部材で押圧され、他端面が前記ベースケースに保持される
ことを特徴とする撮像装置の基板支持構造。
【請求項２】
請求項１に記載の撮像装置の基板支持構造において、
前記カバーケースは、断面がコ字状であり、コ字状の開口部を前記ベースケースに向けて被せることにより、コ字状の内側に各前記回路基板及び各前記フレキシブルフラットケーブルを収容し、
前記押圧部材は、前記カバーケースのコ字状の天井面に取り付けられている
ことを特徴とする撮像装置の基板支持構造。
【請求項３】
請求項１に記載の撮像装置の基板支持構造において、
前記ベースケースは、各前記回路基板を立設するはめ込み用の台座を備え、
各前記フレキシブルフラットケーブルは、各前記回路基板の間で折り曲げられており、
各前記回路基板は、折り曲げられた各前記フレキシブルフラットケーブルの反発力により、各前記台座に形成されたはめ込み溝の側面に押圧される
ことを特徴とする撮像装置の基板支持構造。
【請求項４】
請求項１に記載の撮像装置の基板支持構造において、
各前記フレキシブルフラットケーブルは、前記ベースケースに対して凸状となるように折り曲げられており、
各前記回路基板の各前記コネクタは、折り曲げられた各前記フレキシブルフラットケーブルの反発力によって各前記回路基板が前記ベースケースから浮き上がることのない向きに配置されている
ことを特徴とする撮像装置の基板支持構造。
【請求項５】
請求項１に記載の撮像装置の基板支持構造において、
前記ベースケースの反対側で各前記回路基板を保持する保持部材を備える
ことを特徴とする撮像装置の基板支持構造。
【請求項６】
電子部品及びコネクタが表面に実装された複数の回路基板と、
各前記回路基板を収容するベースケース及びカバーケースと
を備える撮像装置であって、
各前記回路基板の一端面を前記ベースケースに向けて押圧する押圧部材を備え、
各前記回路基板は、各前記コネクタにフレキシブルフラットケーブルが接続されるとともに、一端面が前記押圧部材で押圧され、他端面が前記ベースケースに保持される
ことを特徴とする撮像装置。
【発明の詳細な説明】
【技術分野】
【０００１】
本発明は、電子部品及びコネクタが表面に実装された複数の回路基板をベースケース及びカバーケースに収容して支持する撮像装置の基板支持構造及び撮像装置に係るものである。そして、詳しくは、各回路基板を簡単かつ確実に支持し、撮像装置の小型化及び耐振動性の強化を図りつつ、撮像装置の組立性に優れる技術に関するものである。
【背景技術】
【０００２】
ビデオカメラ等の撮像装置は、撮像対象物からの光をレンズや光学フィルター等の光学系によって撮像素子（例えば、ＣＣＤ（Charge Coupled Devices）デバイス等）の撮像面に結像させ、その像の光による明暗を電荷の量に光電変換し、それを順次読み出して電気信号に変換するようになっている。
【０００３】
ここで、ＣＣＤデバイス等の各種の電子部品は、複数の回路基板に実装され、ビデオカメラのケースの内部に収容されている。また、各回路基板の間は、電気的に接続されている。そして、各回路基板を電気的に接続する方法として、ボード・ツー・ボード・コネクタを使用する方法、上下に積層した各回路基板の間を電気配線で接続する方法、多層フレキシブル基板によって各回路基板と電気配線とを一体化する方法等が知られている。
【０００４】
この中で、ボード・ツー・ボード・コネクタを使用する方法では、半田付けの信頼性を確保するため、コネクタの端子ピッチを０．８ｍｍ以上にする必要があり、コネクタのサイズが大きくなってしまう。そして、コネクタのサイズは、ビデオカメラのケース内部において、各回路基板間のスペースや、回路基板上の電子部品の有効実装面積に影響するため、小型化の妨げとなる。また、コネクタの実装ずれによる半田部へのストレスがあり、半田部にクラックを生じるおそれがあるので、実装精度の向上や、構造上のクラック防止策を盛り込む必要がある。さらにまた、ビデオカメラを振動環境下で使用した際に、回路基板の振動がコネクタの接点部に伝わり、接点部の接触不良を誘発する。
【０００５】
次に、上下に積層した各回路基板の間を電気配線で接続する方法では、各回路基板を積み上げる構造のため、組立性や、電気調整時の作業性が悪くなり、各回路基板のネジ止め固定や、電気配線の接続に多くの作業工数が必要となる。また、ネジの本数が多くなり、重量も増す。さらにまた、下の回路基板ほど固定用の支柱の影響で穴が多くなり、電子部品の有効実装面積が減少する。
【０００６】
一方、多層フレキシブル基板を使用する方法は、電子部品の実装効率が最も良く、撮像装置の小型化にも優れた方法である。そのため、前述したボード・ツー・ボード・コネクタを使用する方法や、上下に積層した各回路基板の間を電気配線で接続する方法に代わって、ビデオカメラの基板支持構造として採用されている（例えば、特許文献１参照）。
【特許文献１】特開２００１−２７５０２２号公報
【０００７】
図７は、上記の特許文献１に記載された従来のビデオカメラ１００の基板支持構造を示す分解斜視図である。
図７に示すように、フロントパネル１１０とリアパネル１２０との間には、ＣＣＤデバイス１４０を実装した回路基板１８０ａ、回路基板１８０ａとフレキシブルケーブル１８１ａで接続された回路基板１８０ｂ、及び回路基板１８０ｂとフレキシブルケーブル１８１ｂで接続された回路基板１８０ｃが配置されている。そして、回路基板１８０ａ，１８０ｂ，１８０ｃ及びフレキシブルケーブル１８１ａ，１８１ｂが一体となって多層フレキシブル基板１８０を構成している。
【発明の開示】
【発明が解決しようとする課題】
【０００８】
しかし、上記の特許文献１に記載された技術では、多層フレキシブル基板１８０によって各回路基板１８０ａ〜１８０ｃとフレキシブルケーブル１８１ａ，１８１ｂとが一体化されているので、回路基板１８０ａ〜１８０ｃの中の１つだけに不具合がある場合であっても、多層フレキシブル基板１８０ごと（回路基板１８０ａ〜１８０ｃ及びフレキシブルケーブル１８１ａ，１８１ｂの全て）交換しなければならないという問題がある。また、多層フレキシブル基板１８０は、ポリイミド樹脂によって形成されているので熱に弱く、電子部品の交換等で発生する熱により、回路パターンの剥離、接触不良等が発生しやすく修理も困難である。さらにまた、各回路基板１８０ａ〜１８０ｃを簡単かつ確実に支持することが難しく、特に、中間の回路基板１８０ｂの支持が不十分となりやすいので、耐振動性の強化に問題がある。
【０００９】
したがって、本発明が解決しようとする課題は、各回路基板をそれぞれ分離できるようにし、回路基板の部分的な交換を可能とするとともに、各回路基板を簡単かつ確実に支持し、撮像装置（ビデオカメラ等）の組立性を犠牲にすることなく、撮像装置の小型化及び耐振動性の強化を図ることである。
【課題を解決するための手段】
【００１０】
本発明は、以下の解決手段により、上述の課題を解決する。
本発明の１つである請求項１に記載の発明は、電子部品及びコネクタが表面に実装された複数の回路基板と、各前記回路基板を収容するベースケース及びカバーケースとを備える撮像装置の基板支持構造であって、各前記回路基板の一端面を前記ベースケースに向けて押圧する押圧部材を備え、各前記回路基板は、各前記コネクタにフレキシブルフラットケーブルが接続されるとともに、一端面が前記押圧部材で押圧され、他端面が前記ベースケースに保持されることを特徴とする。
【００１１】
また、本発明の他の１つである請求項６に記載の発明は、電子部品及びコネクタが表面に実装された複数の回路基板と、各前記回路基板を収容するベースケース及びカバーケースとを備える撮像装置であって、各前記回路基板の一端面を前記ベースケースに向けて押圧する押圧部材を備え、各前記回路基板は、各前記コネクタにフレキシブルフラットケーブルが接続されるとともに、一端面が前記押圧部材で押圧され、他端面が前記ベースケースに保持されることを特徴とする。
【００１２】
（作用）
上記の請求項１及び請求項６に記載の発明は、各回路基板の一端面をベースケースに向けて押圧する押圧部材を備え、各回路基板は、各コネクタにフレキシブルフラットケーブルが接続されるとともに、一端面が押圧部材で押圧され、他端面がベースケースに保持される。そのため、各コネクタからフレキシブルフラットケーブルを取り外せば、各回路基板をそれぞれ分離できるようになる。また、ベースケースに保持された各回路基板が押圧部材で押圧されるので、各回路基板が簡単かつ確実に支持される。
【発明の効果】
【００１３】
上記の発明によれば、各回路基板をそれぞれ分離できるので、回路基板の部分的な交換が可能となる。また、各回路基板がフレキシブルフラットケーブルによって接続されるので、撮像装置の小型化を図ることができる。さらにまた、各回路基板が簡単かつ確実に支持されるので、撮像装置の組立性を犠牲にすることなく、耐振動性の強化を図ることができる。
【発明を実施するための最良の形態】
【００１４】
以下、図面を参照して、本発明の一実施形態について説明する。
なお、以下の実施形態では、後述するように、本発明の撮像装置として、ＦＡ（Factory Automation）等の産業用として好適なビデオカメラ１を例に挙げている。そして、本実施形態のビデオカメラ１は、撮像素子として、ＣＣＤデバイス１４０を使用している。
【００１５】
図１は、本実施形態のビデオカメラ１を示す斜視図である。
図１に示すように、本実施形態のビデオカメラ１は、ケースを構成するフロントパネル１０と、リアパネル２０と、ボトムパネル３０（本発明におけるベースケースに相当するもの）と、トップパネル４０（本発明におけるカバーケースに相当するもの）とを備えている。そして、トップパネル４０は、後述するように、断面がコ字状であり、コ字状の開口部がボトムパネル３０に向けて被せられている。
【００１６】
また、フロントパネル１０の正面側には、レンズを取り付けるためのネジが内面に刻まれた円筒部１１が形成されており、この円筒部１１がレンズを装着するレンズマウントとなっている。そのため、ビデオカメラ１には、用途に応じた焦点距離等の各種のレンズを装着できる。なお、円筒部１１内であってフロントパネル１０の背面側には、光学フィルター１２０やＣＣＤデバイス１４０が取り付けられている。
【００１７】
ここで、本実施形態のビデオカメラ１は、例えば、プリント基板にＩＣチップ等の電子部品を実装する実装機や、連続して供給される半導体装置の各検査部位を撮像する検査装置等に用いられる。すなわち、プリント基板に合わせて電子部品の実装部位に移動し、実装部位を高精度に撮像して電子部品の位置決め等を行うものである。また、半導体装置の供給に合わせて検査部位に移動し、検査部位を高精度に撮像して不良の有無等を検査するものである。
【００１８】
したがって、ビデオカメラ１には、ビデオカメラ１自体の移動による振動だけでなく、プリント基板や電子部品の搬送部、半導体装置の供給部等から種々の振動が作用することとなる。
このように、本実施形態のビデオカメラ１は、非常に過酷な環境下で使用されるので、小型軽量化が図られるとともに、高耐振動性を有しており、具体的には、２Ｇ程度の振動環境下において、２４時間連続的に稼動可能なものとなっている。
【００１９】
図２は、本実施形態のビデオカメラ１を示す分解斜視図であり、図１に示すトップパネル４０を取り外した状態を示すものである。
断面がコ字状のトップパネル４０（図１参照）を取り外すと、ＣＣＤデバイス１４０（図１参照）が実装されたＣＣＤ基板６０、外部コネクタ５０によって外部との電気的な接続を可能とするコネクタ基板７０、ＤＣ／ＤＣコンバータ等の各種の電子部品が実装された３枚の制御基板８０ａ〜８０ｃ（本発明における回路基板に相当するもの）、及びＬ字状の保持金具９０（本発明における保持部材に相当するもの）が露出する。
【００２０】
ここで、ＣＣＤ基板６０は、フロントパネル１０の背面側にフロントパネル１０と平行に取り付けられている。また、コネクタ基板７０は、リアパネル２０の内側にリアパネル２０と平行に取り付けられている。さらにまた、３枚の制御基板８０ａ〜８０ｃは、ＣＣＤ基板６０及びコネクタ基板７０と垂直な方向で、その下部がそれぞれ所定の間隔を有するようにしてボトムパネル３０に保持されている。
【００２１】
そして、ＣＣＤ基板６０及びコネクタ基板７０は、ハーネス（電気配線の束）によって制御基板８０ａ及び制御基板８０ｃと電気的に接続されており、各制御基板８０ａ〜８０ｃの相互間は、それぞれＦＦＣ（フレキシブルフラットケーブル）によって電気的に接続されている。また、保持金具９０は、各制御基板８０ａ〜８０ｃの上側に配置されるとともに、Ｌ字状に折れ曲がって外側の制御基板８０ａと平行に位置している。そのため、ＣＣＤ基板６０、コネクタ基板７０、及び３枚の制御基板８０ａ〜８０ｃを高密度で配置でき、ビデオカメラ１の小型軽量化が図られている。
【００２２】
ところで、ＣＣＤ基板６０には、正しい撮像画像が得られるようにするための調整ボリューム（図示せず）が実装されている。この調整ボリュームは、撮像波形を合わせる電気調整を行うものであり、トップパネル４０（図１参照）を取り外した状態で操作する。すなわち、ビデオカメラ１の製造工程における電気調整は、ビデオカメラ１の内部にある調整用ボリューム及びチェックランドに測定機用プローブを当て、波形確認を行って最終的な調整をするので、トップパネル４０を取り付けないで行う。
【００２３】
そこで、保持金具９０の上面であって、ＣＣＤ基板６０側の端部には、調整ボリュームを操作するための開口部９１が形成されている。そして、この開口部９１から調整治具を挿入し、調整ボリュームを操作して電気調整を行うことにより、ＣＣＤデバイス１４０（図１参照）によって撮像された画像が各制御基板８０ａ〜８０ｃによって所定の電気信号に変換されることとなり、正しく調整された画像が外部に出力される。
【００２４】
また、保持金具９０の上面は、ボトムパネル３０の反対側で各制御基板８０ａ〜８０ｃを支持する支持部９２となっている。すなわち、ボトムパネル３０は、各制御基板８０ａ〜８０ｃを立設するものであり、このままでは各制御基板８０ａ〜８０ｃが固定されていない。そのため、ボトムパネル３０と支持部９２との間に各制御基板８０ａ〜８０ｃを挟み込むことにより、各制御基板８０ａ〜８０ｃの上部が保持金具９０を介してフロントパネル１０及びリアパネル２０に保持されるようにしている。なお、制御基板８０ａ及び制御基板８０ｃは、固定ネジ８４による保持金具９０へのネジ止めを併用して固定されている。
【００２５】
さらにまた、保持金具９０は、金属製であって、制御基板８０ａに実装された電子部品の表面側に接触する放熱部９３を備えている。この放熱部９３は、支持部９２から折り曲げられて制御基板８０ａと平行に位置する部分であり、トップパネル４０（図１参照）の外側に向かう反発弾性を有している。そして、放熱部９３には、トップパネル４０の内面と接触する曲面状の凸状部９３ａが形成されている。そのため、凸状部９３ａがトップパネル４０の内面に接触して押圧されることにより、放熱部９３が電子部品の表面側に接触し、放熱効果が得られるようになる。
【００２６】
さらに、保持金具９０の上面の中央部には、シリコンゴム４１（本発明における押圧部材に相当するもの）を各制御基板８０ａ〜８０ｃの上部に押し当てるための切欠き部９４が形成されている。すなわち、シリコンゴム４１は、トップパネル４０（図１参照）の裏面（天井面）に貼り付けられており、トップパネル４０を被せると、シリコンゴム４１が切欠き部９４の間に入り、各制御基板８０ａ〜８０ｃをボトムパネル３０に向けて押し付ける。そのため、各制御基板８０ａ〜８０ｃは、シリコンゴム４１によって押さえ付けられるので、過酷な振動環境下で使用される本実施形態のビデオカメラ１の高耐振動性（品質信頼性）が確保されることとなる。
【００２７】
図３は、本実施形態のビデオカメラ１における各制御基板８０ａ〜８０ｃと保持金具９０との位置関係を示す斜視図である。
図３に示すように、ボトムパネル３０には、３枚の制御基板８０ａ〜８０ｃがそれぞれ立設されている。すなわち、ボトムパネル３０は、３つの台座３１ａ〜３１ｃを備えている。この３つの台座３１ａ〜３１ｃは、各制御基板８０ａ〜８０ｃの下部をはめ込むための溝を有しており、この溝によって各制御基板８０ａ〜８０ｃが立設される。
【００２８】
ここで、各制御基板８０ａ〜８０ｃには、各種の電子部品８１が実装されているが、各制御基板８０ａ〜８０ｃに実装された電子部品８１の中には、非常に発熱するもの（発熱部品８１ａ）と、そうでないものとがある。そして、本実施形態のビデオカメラ１は、電子部品８１の中でも発熱量の多い発熱部品８１ａを実装した制御基板８０ａが外側（図３の左側）に配置され、その発熱部品８１ａが外側に向いている。そのため、発熱部品８１ａの発生熱が制御基板８０ａと制御基板８０ｂとの間にこもることはない。なお、制御基板８０ｂ及び制御基板８０ｃには、発熱部品８１ａが実装されていないため、制御基板８０ｂ及び制御基板８０ｃに実装された電子部品８１の発熱が問題となることはないが、外側の制御基板８０ｃについては、制御基板８０ａと同様にして発熱部品８１ａを実装できる。
【００２９】
また、制御基板８０ａと制御基板８０ｂとの間は、ＦＦＣ（フレキシブルフラットケーブル）８２ａによって電気的に接続されており、制御基板８０ｂと制御基板８０ｃとの間は、ＦＦＣ８２ｂによって電気的に接続されている。なお、制御基板８０ａ及び制御基板８０ｃは、ハーネス（図示せず）によってＣＣＤ基板６０（図２参照）及びコネクタ基板７０（図２参照）と電気的に接続されている。
【００３０】
そして、保持金具９０は、ボトムパネル３０の反対側で、支持部９２によって各制御基板８０ａ〜８０ｃを支持するとともに、放熱部９３によって制御基板８０ａに実装された発熱部品８１ａの熱を逃がすものである。すなわち、支持部９２の両端部には、それぞれ支持片９５が形成されており、この支持片９５に固定ネジ８４をネジ止めすることよって制御基板８０ａ及び制御基板８０ｃを支持している。一方、支持部９２の中央部には、一対の支持片９６が隙間を有して並んでおり、この隙間に制御基板８０ｂを挿入することによって支持している。なお、支持部９２は、固定片９７によってフロントパネル１０（図２参照）に固定され、固定片９８によってリアパネル２０（図２参照）に固定されるので、各制御基板８０ａ〜８０ｃは、支持部９２を介して、フロントパネル１０及びリアパネル２０に固定されることとなる。
【００３１】
また、保持金具９０の放熱部９３は、支持部９２からＬ字状に折り曲げられて形成されている。そのため、放熱部９３は、折り曲げられた部分で反発弾性を有する板バネとなっており、放熱部９３が少し外側に開いた状態でつり合っている。そして、放熱部９３が制御基板８０ａと平行に位置しており、放熱部９３の内側であって、発熱部品８１ａの表面側と対向する部分（接触部）には、熱伝導率が高く、発熱部品８１ａの発生熱を効果的に逃がすことができる熱伝導性ゴム９９が貼り付けられている。なお、放熱部９３の反対側も折り曲げられているが、これは、トップパネル４０（図１参照）の内面側との擦れを防止するためである。
【００３２】
このように、保持金具９０の放熱部９３は、内側に熱伝導性ゴム９９を備えているが、放熱部９３が制御基板８０ａに対して少し外側に開いているので、熱伝導性ゴム９９と発熱部品８１ａとの間には隙間がある。この隙間は、各制御基板８０ａ〜８０ｃの上側から保持金具９０を被せ、支持部９２をフロントパネル１０（図２参照）及びリアパネル２０（図２参照）に簡単に固定するために必要十分なものとなっている。そのため、本実施形態のビデオカメラ１は、組立性に優れている。
【００３３】
そして、放熱部９３には、外側に突出した凸状部９３ａが形成されている。この凸状部９３ａは、保持金具９０に放熱機能を発揮させるためのものである。すなわち、前述したように、放熱部９３は、少し外側に開いた状態でつり合っている。そのため、このままでは、熱伝導性ゴム９９が発熱部品８１ａの表面に接触しない。そこで、トップパネル４０（図１参照）を被せると、凸状部９３ａがトップパネル４０の内面に接触し、放熱部９３が制御基板８０ａに向けて押し付けられるようにすることで、熱伝導性ゴム９９が発熱部品８１ａの表面に密着するようにしている。
【００３４】
また、前述したように、トップパネル４０（図１参照）を被せると、各制御基板８０ａ〜８０ｃがシリコンゴム４１によって押さえ付けられる。すなわち、クッション性を有するシリコンゴム４１で各制御基板８０ａ〜８０ｃの上部を加圧し、トップパネル４０内での各制御基板８０ａ〜８０ｃの振動を抑制している。
【００３５】
図４は、本実施形態のビデオカメラ１におけるトップパネル４０を示す斜視図である。
図４に示すように、トップパネル４０は、断面がコ字状のものであり、コ字状の開口部４０ａをボトムパネル３０（図３参照）に向けて取り付ける。すなわち、コ字状の先端に段差部４０ｂが設けられており、この段差部４０ｂをボトムパネル３０の内側にはめ込んで固定するようになっている。そして、コ字状の開口部４０ａをボトムパネル３０に向けて被せ、段差部４０ｂをはめ込めば、トップパネル４０の内部に各制御基板８０ａ〜８０ｃ（図３参照）及び保持金具９０（図３参照）が収容される。
【００３６】
また、トップパネル４０の天井面には、シリコンゴム４１が貼り付けられている。そのため、トップパネル４０のコ字状の開口部４０ａをボトムパネル３０（図３参照）に向けて被せると、シリコンゴム４１が各制御基板８０ａ〜８０ｃ（図３参照）を上から押さえ付けるようになる。その結果、シリコンゴム４１の加圧により、各制御基板８０ａ〜８０ｃが動かないようにしっかりと保持される。
そこで次に、トップパネル４０と各制御基板８０ａ〜８０ｃとの相互関係について説明する。
【００３７】
図５は、本実施形態のビデオカメラ１におけるトップパネル４０と各制御基板８０ａ〜８０ｃとの相互関係を示す側面図であり、トップパネル４０を取り外した状態を示すものである。
また、図６は、図５と同様に、本実施形態のビデオカメラ１におけるトップパネル４０と各制御基板８０ａ〜８０ｃとの相互関係を示す側面図であり、トップパネル４０を取り付けた状態を示すものである。
【００３８】
図５に示すように、ボトムパネル３０の各台座３１ａ〜３１ｃには、各制御基板８０ａ〜８０ｃが立設されている。すなわち、ボトムパネル３０は、アルミダイカスト材による剛性の高いものであり、各制御基板８０ａ〜８０ｃを位置決めし、保持する溝（はめ込み溝）が形成された台座３１ａ〜３１ｃを前後両端部に備えている。そのため、各制御基板８０ａ〜８０ｃの下部の両端を各台座３１ａ〜３１ｃの溝にはめ込めば、各制御基板８０ａ〜８０ｃが立設される。
【００３９】
ここで、各台座３１ａ〜３１ｃの溝幅は、各制御基板８０ａ〜８０ｃの板厚よりも大きくなっている。そのため、組立の際は、各台座３１ａ〜３１ｃの溝に各制御基板８０ａ〜８０ｃを簡単にはめ込むことができる。また、制御基板８０ａ及び制御基板８０ｃは、台座３１ａ及び台座３１ｃのはめ込み溝の側面に押圧され、制御基板８０ｂは、台座３１ｂから浮き上がらないようになっているので、その後の保持金具９０の組立も容易になっている。
【００４０】
この点に関してさらに詳述すると、制御基板８０ａには、外側に向けて発熱部品８１ａが実装されるとともに、制御基板８１ｂに向けて横向きにコネクタ８３ａが実装されている。また、制御基板８１ｂには、発熱の少ない（発熱が問題とならない）電子部品８１が実装されるとともに、制御基板８１ｂの両側には、下向きのコネクタ８３ｂが実装されている。さらにまた、制御基板８１ｃには、発熱の少ない電子部品８１が実装されるとともに、制御基板８１ｂに向けて横向きにコネクタ８３ｂが実装されている。さらに、制御基板８０ａと制御基板８１ｂとの間は、ＦＦＣ８２ａによって電気的に接続され、制御基板８０ｂと制御基板８１ｃとの間は、ＦＦＣ８２ｂによって電気的に接続されている。
【００４１】
そして、ＦＦＣ８２ａ及びＦＦＣ８２ｂは、各制御基板８０ａ〜８０ｃの間で、ボトムパネル３０に対して凸状となるように折り曲げられているので、ＦＦＣ８２ａ及びＦＦＣ８２ｂの反発力により、電子部品８１（発熱部品８１ａ）が実装された各制御基板８０ａ〜８０ｃに対してバネの作用をする。そのため、外側の制御基板８０ａ及び制御基板８０ｃは、台座３１ａ及び台座３１ｃに形成されたはめ込み溝の側面に押し付けられることとなる。
【００４２】
また、コネクタ８３ａ〜８３ｃは、折り曲げられたＦＦＣ８２ａ及びＦＦＣ８２ｂの反発力によって制御基板８０ｂが台座３１ｂから浮き上がることのない向きに配置されている。そのため、各台座３１ａ〜３１ｃのはめ込み溝の幅が各制御基板８０ａ〜８０ｃの板厚より大きくても、はめ込み溝の側面との摩擦や、浮き上がりが防止されていることにより、各制御基板８０ａ〜８０ｃが各台座３１ａ〜３１ｃから抜けることはない。したがって、ネジ等を使用しなくても、組立の際の仮固定を行うことができる。
【００４３】
このように、各制御基板８０ａ〜８０ｃは、ボトムパネル３０の各台座３１ａ〜３１ｃに簡単に立設できる。また、各制御基板８１ａ〜８１ｃの上部に保持金具９０を簡単に配置できる。すなわち、保持金具９０の両端部には、それぞれ支持片９５が形成され、中央部には、一対の支持片９６が隙間を有して並んでいる。そのため、ボトムパネル３０に立設した各制御基板８０ａ〜８０ｃの上から保持金具９０を被せれば、支持片９５を制御基板８０ａ及び制御基板８０ｃに突当てて固定ネジ８４をネジ止めでき、支持片９６の隙間に制御基板８０ｂを挿入して位置出しできる。
【００４４】
さらに、保持金具９０は、Ｌ字状に折り曲げられた放熱部９３を有しているが、トップパネル４０を取り外した状態では、反発弾性のつり合い（板バネが作用していない）によって外側に開いている。すなわち、放熱部９３に形成された凸状部９３ａは、ボトムパネル３０に被さるトップパネル４０のコ字状の開口部４０ａよりも外側に突出している。そのため、この状態では、放熱部９３の内側に貼り付けられている熱伝導性ゴム９９が制御基板８０ａに実装された発熱部品８１ａと密着しないので、放熱部９３によって組立性が妨げられることはない。
【００４５】
そして、本実施形態のビデオカメラ１は、トップパネル４０をボトムパネル３０に被せるだけで、各制御基板８０ａ〜８０ｃがシリコンゴム４１によって加圧保持される。すなわち、トップパネル４０の天井面には、所定の圧縮力を有するシリコンゴム４１が取り付けられている。また、保持金具９０には、シリコンゴム４１に対応する位置に切欠き部９４（図２参照）が形成されている。そのため、トップパネル４０の段差部４０ｂをボトムパネル３０にはめ込み、トップパネル４０を取り付けた状態では、図６に示すように、シリコンゴム４１が各制御基板８０ａ〜８０ｃを圧縮するように作用し、各制御基板８０ａ〜８０ｃの振動を抑制する。
【００４６】
ここで、シリコンゴム４１は、圧縮によって塑性変形し、反発力が失われない程度の変位量と、適正な圧縮力とを有している。すなわち、シリコンゴム４１による圧力が大き過ぎると、各制御基板８０ａ〜８０ｃを座屈又は湾曲させ、実装している電子部品８１の半田部に不要なストレスを与えてしまう。また、経年変化によって半田にクラックをもたらし、不具合を誘発することとなる。そこで、シリコンゴム４１の特性は、各制御基板８０ａ〜８０ｃの材質、板厚等に基づいて決定する。
【００４７】
また、図６に示すように、トップパネル４０を取り付けた状態では、凸状部９３ａがトップパネル４０の内面と接触するので、その変形圧により、放熱部９３の反発弾性（板バネ）に逆らって凸状部９３ａが内側に押圧される。そのため、振動環境下でビデオカメラ１が使用された場合であっても、熱伝導性ゴム９９が制御基板８０ａの発熱部品８１ａと密着するようになる。その結果、発熱部品８１ａの発生熱が保持金具９０の全体に拡散し、トップパネル４０に放熱されるので、安定した放熱効果が得られる。
【００４８】
ここで、凸状部９３ａは、曲面状となっている。そのため、トップパネル４０をボトムパネル３０に被せた際に、凸状部９３ａが円滑に内側に押圧される。また、振動環境下でビデオカメラ１が使用された場合であっても、凸状部９３ａがトップパネル４０の内面に食い込んでしまうことはない。さらにまた、トップパネル４０をボトムパネル３０から取り外す際にも、凸状部９３ａがトップパネル４０の内面に引っかからず、トップパネル４０を簡単に抜き出せる。
【００４９】
しかも、保持金具９０は、支持部９２の片側が折り曲げられて放熱部９３となっているだけでなく、放熱部９３の反対側も折り曲げられている。すなわち、保持金具９０は、全体的にＬ字状であるが、支持部９２の両肩がＲ形状となっている。そのため、振動環境下でビデオカメラ１が使用された場合であっても、保持金具９０がトップパネル４０の内面と擦れ、トップパネル４０の内面側を削ってしまったり、保持金具９０の擦れによる金属粉が発生したりすることがない。
【００５０】
このように、本実施形態のビデオカメラ１は、保持金具９０により、ボトムパネル３０の反対側で各制御基板８０ａ〜８０ｃが支持される。そして、各制御基板８０ａ〜８０ｃの位置精度を高めることができ、対向する各制御基板８０ａ〜８０ｃ間のスペースを最小限にできる。しかも、ＦＦＣ８２ａ及びＦＦＣ８２ｂによる接続のため、各制御基板８０ａ〜８０ｃの有効実装面積を最大限に活用できる。そのため、ＦＡ用として小型軽量化が図られる。
【００５１】
また、シリコンゴム４１が各制御基板８０ａ〜８０ｃの上部を押圧するので、振動環境下であっても、各制御基板８０ａ〜８０ｃを確実に支持でき、回路パターンの断線等を防止できる。そのため、高耐振動性（品質信頼性）を有するものとなる。
【００５２】
さらにまた、組立性に優れ、各制御基板８０ａ〜８０ｃごとの交換ができるので、製造時や、サービス等での修理の際に、コストの削減が可能となる。しかも、制御基板８０ａの発熱部品８１ａの発生熱が効率良く熱伝導性ゴム９９、放熱部９３、支持部９２と伝わり、保持金具９０が取り付けられたフロントパネル１０、リアパネル２０、及びトップパネル４０を介して大気中に放熱される。さらに、固定ネジ８４で保持金具９０に制御基板８０ａ及び制御基板８０ｃをネジ止めすることにより、ＧＮＤが強化されるので、不要輻射及び静電気等の対策に有効なものとなっている。
【００５３】
以上、本発明の一実施形態について説明したが、本発明は、上述した実施形態に限定されることなく、例えば、以下のような種々の変形が可能である。
（１）本実施形態では、撮像装置として、ＦＡ用のビデオカメラ１を例に挙げたが、これに限らず、各種の用途のビデオカメラやビデオカメラ以外の撮像装置であっても良い。また、本実施形態では、撮像素子として、ＣＣＤデバイス１４０を例に挙げたが、これに限らず、ＣＭＯＳ（Complementary Metal Oxide Semiconductor ）デバイス等の他の撮像素子であっても良い。
【００５４】
（２）本実施形態では、押圧部材として、シリコンゴム４１を使用しているが、これに限らず、他のゴム部材であっても良い。また、各制御基板８０ａ〜８０ｃを押圧して保持できれば、ゴム部材でなくても良い。さらにまた、本実施形態では、保持金具９０を金属製とすることで、放熱機能やＧＮＤの強化機能を有するようにしているが、各制御基板８０ａ〜８０ｃの位置出しのみを考えれば、コスト削減効果のある樹脂製であっても良い。
【図面の簡単な説明】
【００５５】
【図１】本実施形態のビデオカメラを示す斜視図である。
【図２】本実施形態のビデオカメラを示す分解斜視図であり、図１に示すトップパネルを取り外した状態を示すものである。
【図３】本実施形態のビデオカメラにおける制御基板と保持金具との位置関係を示す斜視図である。
【図４】本実施形態のビデオカメラにおけるトップパネルを示す斜視図である。
【図５】本実施形態のビデオカメラにおけるトップパネルと各制御基板との相互関係を示す側面図であり、トップパネルを取り外した状態を示すものである。
【図６】本実施形態のビデオカメラにおけるトップパネルと各制御基板との相互関係を示す側面図であり、トップパネルを取り付けた状態を示すものである。
【図７】従来のビデオカメラの基板支持構造を示す分解斜視図である。
【符号の説明】
【００５６】
１  ビデオカメラ（撮像装置）
３０  ボトムパネル（ベースケース）
３１ａ，３１ｂ，３１ｃ  台座
４０  トップパネル（カバーケース）
４０ａ  開口部
４１  シリコンゴム（押圧部材）
８０ａ，８０ｂ，８０ｃ  制御基板（回路基板）
８１  電子部品
８１ａ  発熱部品（電子部品）
８２ａ，８２ｂ  ＦＦＣ（フレキシブルフラットケーブル）
８３ａ，８３ｂ，８３ｃ  コネクタ
９０  保持金具（保持部材）
【図１】
2008131399.tif 000003
【図２】
2008131399.tif 000004
【図３】
2008131399.tif 000005
【図４】
2008131399.tif 000006
【図５】
2008131399.tif 000007
【図６】
2008131399.tif 000008
【図７】
2008131399.tif 000009